(57)【要約】【課題】従来のカスケードに接続された多段式マルチ周波数帯用板状アンテナに比し、短く、コンパクトに構成され、製作コスト的に有利な高性能のマルチ周波数帯用アンテナを提供する。【解決手段】導線をコイル状に巻いたコイル状アンテナ導体部２１と、基板２２１にアンテナパターン配線２２２が設けられた板状アンテナ導体部２２とを有し、前記コイル状アンテナ導体部２１を前記板状アンテナ導体部２２の基板の周囲に螺旋状に巻回すると共に該コイル状アンテナ導体部２１の端部を前記板状アンテナ導体部２２の基部に接続したことを特徴とする。【選択図】　　　　　　図１
0003097700.tif 000002
【実用新案登録請求の範囲】
【請求項１】
導線をコイル状に巻いたコイル状アンテナ導体部と、基板にアンテナパターン配線が設けられた板状アンテナ導体部とを有し、前記コイル状アンテナ導体部を前記板状アンテナ導体部の基板の周囲に螺旋状に巻回すると共に該コイル状アンテナ導体部の端部を前記板状アンテナ導体部の基部に接続したことを特徴とするマルチ周波数帯用アンテナ。
【請求項２】
前記板状アンテナ導体部は、前記基板上にアンテナパターン配線をプリントし、当該板状アンテナ導体部の周囲に前記コイル状アンテナ導体部を螺旋状に巻回したことを特徴とする請求項１に記載のマルチ周波数帯用アンテナ。
【請求項３】
前記板状アンテナ導体部は、前記アンテナパターン配線を前記基板の側部に沿って設け、当該基板の周囲に前記コイル状アンテナ導体部を螺旋状に巻回したことを特徴とする請求項１に記載のコイル状マルチ周波数帯用アンテナ。
【請求項４】
前記コイル状アンテナ導体部の長さは、特定の周波数帯に対応し、前記板状アンテナ導体部の長さは、他の特定の周波数帯に対応するように設定したことを特徴とする請求項１〜３のいずれかに記載のコイル状マルチ周波数帯用アンテナ。
【請求項５】
前記アンテナパターン配線は、１つの板状導体よりなる請求項１〜４のいずれかに記載のマルチ周波数帯用アンテナ。
【請求項６】
前記板状アンテナ導体部は、前記コイル状アンテナ導体部に巻回された１つの絶縁体からなる基板を有し、当該基板の一部に前記コイル状アンテナ導体部が巻回されかつ端部が接続されたことを特徴とする請求項３に記載のマルチ周波数帯用アンテナ。
【請求項７】
前記板状アンテナ導体部の基部は、前記コイル状アンテナ導体部の端部が接続される突起部を有することを特徴とする請求項１〜６のいずれかに記載のマルチ周波数帯用アンテナ。
【考案の詳細な説明】
【０００１】
【考案の属する技術分野】
本考案は、マルチ周波数帯用アンテナ、特に、板状アンテナ導体部の周囲にコイル状アンテナ導体部を巻回した複数の周波数帯に使用可能なマルチ周波数帯用アンテナに関する。
【０００２】
【従来の技術】
アンテナは、通信の信号授受に不可欠であるが、従来の携帯電話機のアンテナは、図６に示すように、短柱形のアンテナで、電話機のケース１００からアンテナ本体２００が直状に突設されている。
【０００３】
このアンテナ本体２００は、図７に示すように、複数の周波数帯に対応させるため、コイル状導線が支柱３００の周囲に巻回され、Ｌ１あるいはＬ２という２種類の長さの段部が形成されている。ただし、この段部のピッチＰ１，Ｐ２や長さＬ１，Ｌ２あるいは段数等は、必要に応じて適宜設定される。
【０００４】
【考案が解決しようとする課題】
しかし、前記アンテナ本体２００は、コイル状導線を支持するために、１本の支柱３００が使用されているので、部品点数が増え、製造コスト的に不利であるのみでなく、マルチ周波数帯用のアンテナでは、各段の長さＬ１，Ｌ２などのコイル状導線がカスケードに接続されるので、長さが必然的に長くなり、長大で、製造コスト的に一層不利になる。
【０００５】
本考案は、上述した従来の技術の課題に鑑みてなされたもので、部品点数を低減し、製造コスト的に有利であるのみでなく、コンパクトなマルチ周波数帯用アンテナを提供することを目的とする。
【０００６】
【課題を解決するための手段】
本考案の目的は、下記する手段により達成される。
【０００７】
（１）　導線をコイル状に巻いたコイル状アンテナ導体部と、基板にアンテナパターン配線が設けられた板状アンテナ導体部とを有し、前記コイル状アンテナ導体部を前記板状アンテナ導体部の基板の周囲に螺旋状に巻回すると共に該コイル状アンテナ導体部の端部を前記板状アンテナ導体部の基部に接続したことを特徴とするマルチ周波数帯用アンテナ。
【０００８】
（２）　前記板状アンテナ導体部は、前記基板上にアンテナパターン配線をプリントし、当該板状アンテナ導体部の周囲に前記コイル状アンテナ導体部を螺旋状に巻回したことを特徴とする前記（１）のマルチ周波数帯用アンテナ。
【０００９】
（３）　前記板状アンテナ導体部は、前記アンテナパターン配線を前記基板の側部に沿って設け、当該基板の周囲に前記コイル状アンテナ導体部を螺旋状に巻回したことを特徴とする前記（１）のマルチ周波数帯用アンテナ。
【００１０】
（４）　　前記コイル状アンテナ導体部の長さは、特定の周波数帯に対応し、前記板状アンテナ導体部の長さは、他の特定の周波数帯に対応するように設定したことを特徴とする前記（１）〜（３）のマルチ周波数帯用アンテナ。
【００１１】
（５）　　前記アンテナパターン配線は、１つの板状導体よりなる前記（１）〜（４）のマルチ周波数帯用アンテナ。
【００１２】
（６）　　前記板状アンテナ導体部は、前記コイル状アンテナ導体部に巻回された１つの絶縁体からなる基板を有し、当該基板の一部に前記コイル状アンテナ導体部が巻回されかつ端部が接続されたことを特徴とする前記（３）のマルチ周波数帯用アンテナ。
【００１３】
（７）　　前記板状アンテナ導体部の基部は、前記コイル状アンテナ導体部の端部が接続される突起部を有することを特徴とする前記（１）〜（６）のマルチ周波数帯用アンテナ。
【００１４】
【考案の実施の形態】
以下、本考案の実施の形態を図面に基づいて説明する。
【００１５】
図１は本考案の実施形態を示す概略斜視図、図２は同実施形態の板状アンテナ導体部を示す概略斜視図である。
【００１６】
図１に示すように、本実施形態に係るアンテナは、１つのコイル状アンテナ導体部２１と、１つの板状アンテナ導体部２２とを有している。
【００１７】
コイル状アンテナ導体部２１は、導線をコイル状に巻いたもので、ピッチｑと長さとは、特定の周波数帯の波長と対応している。
【００１８】
板状アンテナ導体部２２は、図２に示すように、１つの基板２２１上に任意の形状及びサイズのアンテナパターン配線２２２がプリントされている。このアンテナパターン配線２２２は、他の特定の周波数帯に対応するものである。アンテナパターン配線２２２の基部は、電話機の内部回路（図示せず）と接続される延長部２２３が一体的に設けられているが、この基部２２４には、また、鋸歯状の突起部２２４，２２５が形成されている。
【００１９】
前記図１に示すように、コイル状アンテナ導体部２１は、板状アンテナ導体部２２の周囲に巻回され、該コイル状アンテナ導体部２１の端部は、板状アンテナ導体部２２のアンテナパターン配線２２２の基部２２４と接続されている。したがって、これらはマルチ周波数帯用アンテナの本体として機能し、しかも、両アンテナ導体部２１，２２の軸方向寸法がオーバーラップし、コンパクト化されている。
【００２０】
つまり、前記板状アンテナ導体部２２の基板２２１は、絶縁体であり、コイル状アンテナ導体部２１の支柱として利用できることから、コイル状アンテナ導体部２１は、板状アンテナ導体部２２のアンテナパターン配線２２２を取巻くように形成するとき、基板２２１と接触するように設けられ、板状アンテナ導体部２２と軸方向寸法がオーバーラップした状態となり、アンテナ体体の長さが短縮し、コンパクト化され、支柱がない分、製作コストも軽減する。
【００２１】
図３は前記板状アンテナ導体部の他の変形例を示す概略斜視図、図４は図３の板状アンテナ導体部にコイル状アンテナ導体部を取付けた概略斜視図である。
【００２２】
図３，４において、この変形例では、板状アンテナ導体部２２のアンテナパターン配線２２２が基板２２１の外側に沿って形成され、基板２２１の基部には、鋸歯状の突起部２２４，２２５が形成され、またアンテナパターン配線２２２の延長部２２３も設けられている。
【００２３】
このようにすれば、図４に示すように、基板２２１の周囲に螺旋状に巻回されたコイル状アンテナ導体部２１の端部は、両側の突起部２２４，２２５と確実に接続され、マルチ周波数帯用アンテナとして機能する。また、コイル状アンテナ導体部２１と板状アンテナ導体部２２の軸方向長さがオーバーラップし、前記同様アンテナ体体の長さが短縮し、コンパクト化され、支柱がない分、製作コストも軽減する。
【００２４】
図５は本考案のマルチ周波数帯用アンテナの組立図であるが、この図５に示すように、本考案に係るマルチ周波数帯用アンテナを携帯用電話機に取付けると、その長さは確かに一般のカスケード接続された多段式アンテナより短くなっているのが分かる。
【００２５】
前述した実施形態は、あくまで本考案の技術内容を明らかにするものであり、本考案をこのような具体例のみに限定して狭義に解釈すべきではなく、本考案は、実用新案登録請求の範囲内で種々変更して実施できるものである。
【００２６】
【考案の効果】
以上の説明から明らかなように、請求項１の考案は、コイル状アンテナ導体部を板状アンテナ導体部の基板の周囲に螺旋状に巻回すると共に該コイル状アンテナ導体部の端部を前記板状アンテナ導体部の基部に接続したので、板状アンテナ導体部がコイル状アンテナ導体部の支柱として機能し、アンテナ全体が堅固に構成できる。また、従来のカスケードに接続された多段式マルチ周波数帯用板状アンテナより短く、コンパクト化され、専用の支柱が不要にできるため、部品点数が低減し、製作コスト的に有利となる。
【００２７】
請求項２の考案は、基板上にアンテナパターン配線をプリントした板状アンテナ導体部の周囲にコイル状アンテナ導体部を螺旋状に巻回したので、全体的にコンパクト化される。
【００２８】
請求項３の考案は、アンテナパターン配線を基板の側部に沿って設け、中央の基板の周囲にコイル状アンテナ導体部を螺旋状に巻回したので、感度が向上する。
【００２９】
請求項４の考案は、コイル状アンテナ導体部の長さを特定の周波数帯、板状アンテナ導体部の長さを他の特定の周波数帯に対応するように設定したので、複数周波数帯の使用可能となる。
【００３０】
請求項５，６の考案は、アンテナパターン配線を１つの板状導体により、また、基板を１つの絶縁体から形成したので、製造面で有利となる。
【００３１】
請求項７の考案は、板状アンテナ導体部の基部にコイル状アンテナ導体部の端部が接続される突起部を形成したので、両アンテナ導体部の接続が確実で、複数周波数帯の使用可能となる。
【図面の簡単な説明】
【図１】本考案の実施形態を示す概略斜視図である。
【図２】同実施形態の板状アンテナ導体部を示す概略斜視図である。
【図３】前記板状アンテナ導体部の他の変形例を示す概略斜視図である。
【図４】図３の板状アンテナ導体部にコイル状アンテナ導体部を取付けた概略斜視図である。
【図５】本考案のマルチ周波数帯用アンテナの組立図である。
【図６】一般的なアンテナ付き携帯用電話機の概略斜視図である。
【図７】図６のアンテナの構造を示す概略斜視図である。
【符号の説明】
２１…コイル状アンテナ導体部、
２２…板状アンテナ導体部、
２２１…基板、
２２２…アンテナパターン配線、
２２４、２２５…突起部、
Ｌ１，Ｌ２…コイル状アンテナ導体部の長さ。
【図１】
0003097700.tif 000003
【図２】
0003097700.tif 000004
【図３】
0003097700.tif 000005
【図４】
0003097700.tif 000006
【図５】
0003097700.tif 000007
【図６】
0003097700.tif 000008
【図７】
0003097700.tif 000009